(57)【要約】【課題】誘導加熱の原理を利用した暖房便座装置であって、高周波電流の伝送ロスを低減でき、高い信頼性を得ることができる暖房便座装置を提供することを目的とする。【解決手段】便座または便蓋と、前記便座または便蓋を開閉可能に支持するケーシングと、前記ケーシングに内蔵され、高周波電流を生成する高周波電源装置と、前記便座または便蓋に内蔵され、前記高周波電源装置から供給された高周波電流により磁界を発生させる誘導加熱コイルと、前記磁界によって誘導加熱される導電体と、前記高周波電源装置から前記誘導加熱コイルに前記高周波電流を送る電線と、を備え、前記電線は、複数本の導線を束ねた状態で全体が被覆された第１の電線と、前記第１の電線と直列に接続され、複数本の絶縁素線が撚り合わされた第２の電線と、を有し、前記第１の電線は、前記便座または便蓋の開閉によって前記電線に捩れが生ずる範囲に設けられた暖房便座装置が提供される。【選択図】図２
2012205818.tif 000002
【特許請求の範囲】
【請求項１】
便座または便蓋と、
前記便座または便蓋を開閉可能に支持するケーシングと、
前記ケーシングに内蔵され、高周波電流を生成する高周波電源装置と、
前記便座または便蓋に内蔵され、前記高周波電源装置から供給された高周波電流により磁界を発生させる誘導加熱コイルと、
前記磁界によって誘導加熱される導電体と、
前記高周波電源装置から前記誘導加熱コイルに前記高周波電流を送る電線と、
を備え、
前記電線は、
複数本の導線を束ねた状態で全体が被覆された第１の電線と、
前記第１の電線と直列に接続され、複数本の絶縁素線が撚り合わされた第２の電線と、
を有し、
前記第１の電線は、前記便座または便蓋の開閉によって前記電線に捩れが生ずる範囲に設けられたことを特徴とする暖房便座装置。
【請求項２】
前記第１の電線の前記第２の電線と接続される端部は前記便座または便蓋に固定され、前記便座または便蓋の開閉による前記第１の電線の捩れが前記第２の電線に伝わらないことを特徴とする請求項１記載の暖房便座装置。
【請求項３】
前記便座または便蓋内における開閉時の回転中心軸の近傍に固定され、前記第１の電線と、前記第２の電線と、を接続する第１の中継部をさらに備え、
前記第１の中継部によって、前記第１の電線と、前記第２の電線と、を互いに異なる方向から接続したことを特徴とする請求項２記載の暖房便座装置。
【請求項４】
前記第１の電線は、導電体で磁気シールドされたことを特徴とする請求項１〜３のいずれか１つに記載の暖房便座装置。
【請求項５】
前記ケーシング内に設けられた第２の中継部をさらに備え、
前記電線は、
複数本の絶縁素線が撚り合わされた電線であって、前記ケーシング内で前記高周波電源装置と、前記第１の電線と、の間に接続された第３の電線をさらに有し、
前記第３の電線は、前記第２の中継部によって、前記第１の電線と接続されたことを特徴とする請求項３記載の暖房便座装置。
【発明の詳細な説明】
【技術分野】
【０００１】
本発明の態様は、一般的に、暖房便座装置に関し、具体的には便器に設けられる便座を暖めることができる暖房便座装置に関する。
【背景技術】
【０００２】
一般的に、便座の座面は、ポリプロピレン等の樹脂で製造されているため、使用者は、冬場などの気温の低いときに冷えた便座に座ると冷感を感じる場合がある。そこで、便座を暖めることができる暖房便座装置がある。このような暖房便座装置について、省エネルギー化を図るための提案がされている。
【０００３】
例えば、交流電力を発生する誘導加熱用電源と、誘導加熱用電源から送られる電流により磁界を発生する加熱用励磁コイルと、加熱用励磁コイルで誘起される誘導電流により発熱する発熱体と、を備えた温水式洗浄便座装置がある（特許文献１）。特許文献１に記載された温水式洗浄便座装置では、誘導加熱の原理により、便座を短時間で昇温させることができる。そのため、便座を保温状態に保つことなく、着座時以外は、電力供給を停止させることができ、待機時の電力を削減することができる。
【０００４】
誘導加熱は、コイルに高周波電流を通電させて、コイルから磁界を発生させ、その磁界が導電体を通過することにより渦電流を生成させて導電体を加熱するものである。ところで、高周波電源装置から加熱用励磁コイルまで高周波電流を効率よく伝送するには、絶縁素線を複数本撚り合わせた、いわゆるリッツ線を用いるのが好ましい。リッツ線は、表皮効果による伝送ロスが少ないため、周波数の高い電流を伝送するのに適しているからである。
【０００５】
しかしながら、リッツ線が可動部に用いられ、曲げ伸ばし等の繰り返しによって絶縁素線の絶縁被覆に剥がれが生じると、絶縁素線で絶縁されていた導線どうしの接触による表皮面積の変動や減少が生じ、伝送効率が不安定になったり、伝送効率が低下したりすることがある。このため、固定されたケーシングと、頻繁に開閉される便座と、の間の配線にリッツ線を使用して高周波電流を伝送すると、このような問題を招きやすい。
【先行技術文献】
【特許文献】
【０００６】
【特許文献１】特開平８−２２８９６４号公報
【発明の概要】
【発明が解決しようとする課題】
【０００７】
本発明は、かかる課題の認識に基づいてなされたものであり、誘導加熱の原理を利用した暖房便座装置であって、高周波電流の効率のよい伝送、及び高い信頼性を得ることができる暖房便座装置を提供することを目的とする。
【課題を解決するための手段】
【０００８】
第１の発明は、便座または便蓋と、前記便座または便蓋を開閉可能に支持するケーシングと、前記ケーシングに内蔵され、高周波電流を生成する高周波電源装置と、前記便座または便蓋に内蔵され、前記高周波電源装置から供給された高周波電流により磁界を発生させる誘導加熱コイルと、前記磁界によって誘導加熱される導電体と、前記高周波電源装置から前記誘導加熱コイルに前記高周波電流を送る電線と、を備え、前記電線は、複数本の導線を束ねた状態で全体が被覆された第１の電線と、前記第１の電線と直列に接続され、複数本の絶縁素線が撚り合わされた第２の電線と、を有し、前記第１の電線は、前記便座または便蓋の開閉によって前記電線に捩れが生ずる範囲に設けられたことを特徴とする暖房便座装置である。
【０００９】
第１の電線は、複数本の導線が撚り合わされて一体化された状態で被覆されているので、捩れによって導線どうしが擦れ合ったとしても、高周波電流に対する電気伝導性は変わらない。そのため、高周波電流の伝送効率は安定し、伝送効率の低下が生じにくい。一方、第２の電線は、導線１本ごとに絶縁された絶縁素線が用いられているため、第１の電線よりも高い伝送効率となるが、捩れによって絶縁素線どうしが擦れ合って絶縁被覆が剥がれると、高周波電流に対する電気伝導性が変わる。そのため、高周波電流の伝送効率は不安定となり、伝送効率の低下が生じることがある。
この暖房便座装置によれば、誘導加熱コイルが内蔵された便座または便蓋の開閉によって電線に捩れが生じた場合、その捩れは複数本の導線を撚り線にして被覆した第１の導線にのみ生じ、絶縁素線を複数本撚り合わせた第２の電線には捩れは伝わらない。このため、便座または便蓋の開閉、あるいは便座または便蓋の取り外しによって電線に捩れが生じても、高周波電流の伝送効率は安定し、伝送効率の低下を防止することが可能となる。
また、電線の一部を、複数の絶縁素線を撚り合わせた第２の電線で構成したので、高周波電流の伝達ロスを最低限に抑えることができる。
【００１０】
また、第２の発明は、第１の発明において、前記第１の電線の前記第２の電線と接続される端部が前記便座または便蓋に固定され、前記便座または便蓋の開閉による前記第１の電線の捩れが前記第２の電線に伝わらないことを特徴とする暖房便座装置である。
【００１１】
この暖房便座装置によれば、第１の電線の第２の電線と接続される端部が便座または便蓋に固定されるので、第１の電線の捩れは固定部分よりも先に伝わらない。そのため、第２の電線を構成する絶縁素線への捩れの発生を確実に防いで、ケーシングに対する便座または便蓋の相対的な位置の変化による第２の電線の絶縁被覆の剥がれを確実に防止することができる。
【００１２】
また、第３の発明は、第２の発明において、前記便座または便蓋内における開閉時の回転中心軸の近傍に固定され、前記第１の電線と、前記第２の電線と、を接続する第１の中継部をさらに備え、前記第１の中継部によって、前記第１の電線と、前記第２の電線と、を互いに異なる方向から接続したことを特徴とする暖房便座装置である。
【００１３】
この暖房便座装置によれば、便座または便蓋の開閉時の回転中心軸の近傍に第１の中継部を配置したので、第１の電線の長さを短くすることができ、その分、第２の電線の長さを長くして、高周波電流の伝達ロスを抑えることができる。
【００１４】
また、第４の発明は、第１〜第３のいずれか１つの発明において、前記第１の電線が、導電体で磁気シールドされたことを特徴とする暖房便座装置である。
【００１５】
この暖房便座装置によれば、第１の電線を磁気シールドすることにより、便座コードからの磁界漏れを効果的に防ぐことができる。
【００１６】
また、第５の発明は、第３の発明において、前記ケーシング内に設けられた第２の中継部をさらに備え、前記電線は、複数本の絶縁素線が撚り合わされた電線であって、前記ケーシング内で前記高周波電源装置と、前記第１の電線と、の間に接続された第３の電線をさらに有し、前記第３の電線は、前記第２の中継部によって、前記第１の電線と接続されたことを特徴とする暖房便座装置である。
【００１７】
この暖房便座装置によれば、ケーシングから便座または便蓋に電力を供給する第１の電線のみを、複数の本の導線を撚り線にて被覆し構成としたので、高周波電源装置と第１の電線との間、及び、第１の電線と誘導加熱コイルとの間が、絶縁素線を複数本撚り合わせた第２の電線、及び第３の電線になり、高周波電流の伝達ロスを最低限に抑えることができる。
【発明の効果】
【００１８】
本発明の態様によれば、誘導加熱の原理を利用した暖房便座装置であって、高周波電流の伝送ロスを低減でき、高い信頼性を得ることができる暖房便座装置が提供される。
【図面の簡単な説明】
【００１９】
【図１】本実施の形態にかかる暖房便座装置を備えたトイレ装置を例示する斜視模式図である。
【図２】本実施の形態にかかる暖房便座装置を表す模式図である。
【図３】便座を開いた状態を例示する模式的斜視図である。
【図４】図３における矢印Ｂの部分を拡大した模式的斜視図である。
【図５】第１及び第２の電線の筐体への引き込み状態を例示する模式図である。
【図６】第１の中継台について例示した模式図である。
【図７】他の取り付け構造を有する便座を例示する模式的斜視図である。
【図８】他の取り付け構造を有する便座を例示する模式的斜視図である。
【図９】電力供給線が便器の外側に露出した暖房便座装置を例示する模式的斜視図である。
【図１０】暖房便座装置を上方から眺めた模式的平面図である。
【図１１】第１の電線の他の取り付け構造を例示する模式的平面図である。
【図１２】他の実施の形態に係る暖房便座装置を説明する模式的平面図である。
【図１３】他の実施の形態における他の構成を例示する模式的平面図である。
【図１４】第１の電線の取り付け構造を例示する模式図である。
【図１５】本実施の形態で適用される高周波電源部の回路構成の一例を例示する回路構成図である。
【図１６】他の実施の形態におけるその他の構成を例示する模式的平面図である。
【発明を実施するための形態】
【００２０】
以下、本発明の実施の形態について図面を参照しつつ説明する。なお、各図面中、同様の構成要素には同一の符号を付して詳細な説明は適宜省略する。
図１は、本実施の形態にかかる暖房便座装置を備えたトイレ装置を例示する斜視模式図である。
図２は、本実施の形態にかかる暖房便座装置を表す模式図で、（ａ）は、暖房便座装置を上方から眺めた模式的平面図、（ｂ）は、（ａ）に表した切断面Ａ−Ａにおける模式的断面図である。
【００２１】
本実施の形態に係る暖房便座装置１００は、トイレ装置１０における洋式腰掛便器８００の上に設置されるもので、便座２００と、便蓋３００と、便座２００及び便蓋３００を開閉可能に支持するケーシング４００と、を備える。便座２００と便蓋３００とは、ケーシング４００に対して開閉自在にそれぞれ軸支されている。便蓋３００は、閉じた状態において便座２００の上方を覆うことができる。ケーシング４００には、高周波電流を生成する高周波電源装置４２０が内蔵される。便座２００または便蓋３００には、高周波電源装置４２０から供給された高周波電流により磁界を発生させる誘導加熱コイル２２２が設けられる。便座２００には、磁界によって誘導加熱される導電体２３１が設けられる。より具体的には、導電体２３１は、誘導加熱コイル２２２から発生する磁界で誘起される渦電流により発熱する。
【００２２】
高周波電源装置４２０と誘導加熱コイル２２２との間には、高周波電流を誘導加熱コイル２２２へ送る電線を備えた電力供給線（電力コード）５００が接続されている。そして、本実施の形態に係る暖房便座装置１００では、電力供給線５００が、ケーシング４００から便座２００へ配線された第１の電線５０１と、便座２００の中において第１の電線５０１と直列に接続され、誘導加熱コイル２２２に高周波電流を供給する第２の電線５０２と、を備えている。
【００２３】
ここで、第１の電線５０１には、複数本の導線を束ねた状態で全体が被覆された電線が用いられる。以下、複数本の導線を束ねた状態で全体が被覆された電線のことを「普通線」という。
また、第２の電線５０２には、複数本の絶縁素線が撚り合わされた電線が用いられる。以下、複数本の絶縁素線が撚り合わされた電線のことを「リッツ線」という。
【００２４】
本実施の形態に係る暖房便座装置１００において、第１の電線５０１の一方の端部は、ケーシング４００内で固定されている。本具体例では、第１の電線５０１の一方の端部は、ケーシング４００に内蔵された高周波電源装置４２０に固定されている。また、第１の電線５０１の他方の端部は、便座２００の筐体２１０内で固定されている。本具体例では、第１の電線５０１の他方の端部は、筐体２１０内に設けられた第１の中継台５１０に固定されている。
そして、第２の電線５０２の一方の端部は、第１の中継台５１０に固定されている。これにより、第２の電線５０２は、第１の中継台５１０を介して第１の電線５０１と導通する。
なお、本実施形態において電線（第１の電線５０１及び第２の電線５０２）の端部には、端部の近傍部位も含まれる。
【００２５】
本実施の形態のように、第１の電線の一方の端部がケーシング４００内で固定され、他方の端部が便座２００に固定されていることで、便座２００の開閉や着脱の際に第１の電線５０１に捩れが生じても、その捩れが第２の電線５０２に伝達されない。したがって、第２の電線５０２を構成する絶縁素線に捩れが発生せず、第２の電線５０２を構成する絶縁素線の絶縁被覆の剥がれの発生を抑制することができる。
【００２６】
ここで、ケーシング４００の内部には、衛生洗浄装置としての機能部が併設されていてもよい。すなわち、ケーシング４００には、便座２００に座った使用者の「おしり」などに向けて水を噴出する図示しない吐水ノズルを有する衛生洗浄機能部などが内蔵されていてもよい。
【００２７】
また、ケーシング４００の内部には、便座２００に座った使用者の「おしり」などに向けて温風を吹き付けて乾燥させる「温風乾燥機能」や「脱臭ユニット」や「室内暖房ユニット」などの各種の機構が適宜設けられていてもよい。ただし、本実施の形態においては、衛生洗浄機能部やその他の付加機能部は必ずしも設けなくてもよい。
【００２８】
図２（ａ）に表したように、ケーシング４００の内部には、制御部４１０が設けられている。そして、商用電源から供給される電力（以下、説明の便宜上「商用電力」と称する）は、ケーシング４００の内部に設けられた制御部４１０と高周波電源装置４２０に投入される。高周波電源装置４２０は、制御部４１０から供給される制御信号に基づいて高周波電流を生成する。
【００２９】
図２（ｂ）に表したように、便座２００は、便座２００の外形を形成する筐体２１０を有する。筐体２１０は、樹脂などの絶縁性を有する材料により形成されている。なお、筐体２１０は、複数の部材により形成されていてもよいし、１つの部材により形成されていてもよい。
【００３０】
便座２００の筐体２１０の内部には、高周波電源装置４２０から供給された高周波電流が通電されることにより磁界を発生する誘導加熱コイル２２２と、高周波電源装置４２０から誘導加熱コイル２２２に高周波電流を供給する第２の電線５０２と、誘導加熱コイル２２２を支持する支持体２８０と、が設けられている。第２の電線５０２は、第１の電線５０１と接続され、高周波電源装置４２０から供給される高周波電流を誘導加熱コイル２２２へと導く。先に説明したように、第２の電線５０２は、リッツ線である。
【００３１】
なお、図２（ｂ）に表した誘導加熱コイル２２２は、支持体２８０により支持されているが、本発明はこれだけに限定されるわけではない。誘導加熱コイル２２２は、支持体２８０に支持されることなく、例えば便座２００の内部の上面（着座面に対向する内面）２１０ａに付設されていてもよい。
【００３２】
ここで、誘導加熱コイル２２２は、第２の電線５０２と同じ材質の導線（例えば、リッツ線）であっても、異なる材質の導線であってもよい。誘導加熱コイル２２２と第２の電線５０２とが同じ材質の導線の場合、誘導加熱コイル２２２は、導線のうちコイルとしての巻線の開始位置から終了位置までの部分をいう。また、第２の電線５０２は、第１の電線５０１との接続位置から誘導加熱コイル２２２までの部分をいう。
【００３３】
誘導加熱コイル２２２から発生する磁界で誘起される渦電流により発熱する導電体２３１は、便座２００の上面（着座面）に付設されている。あるいは、導電体２３１は、便座２００の筐体２１０の内部に設けられていてもよい。あるいは、導電体２３１は、便座２００の内部の上面２１０ａに付設されていてもよい。
【００３４】
導電体２３１の材料としては、例えば鉄やステンレスなどの強磁性体、またはアルミニウムなどの常磁性体といった金属を用いることができる。便座２００の外部に磁界を放出させにくくするためには、電気抵抗が大きい鉄やステンレスなどの強磁性体を導電体２３１に用いることがより好ましい。なお、導電体２３１が便座２００の上面に設けられる場合には、人体と導電体２３１とが直接的に接触しないように、塗装、コーティング、フィルムなどが導電体２３１の表面に施されることがより好ましい。
【００３５】
制御部４１０と高周波電源装置４２０とは、給電線４１５により接続されている。商用電力などの低周波電流と、制御部４１０から供給される制御信号と、は給電線４１５を通して高周波電源装置４２０に供給される。つまり、制御部４１０は、高周波電源装置４２０の動作を制御する。給電線４１５は、高周波電源装置４２０から出力される高周波電流よりも相対的に周波数が低い低周波電流を高周波電源装置４２０に供給する。高周波電源装置４２０は、制御部４１０から供給される制御信号に基づいて、低周波電流を高周波電流に変換する。すなわち、高周波電源装置４２０は、給電線４１５を通して供給される低周波電流を、その周波数よりも高い周波数の電流（以下、説明の便宜上「高周波電流」と称する）に変換する。
【００３６】
高周波電源装置４２０により変換された高周波電流は、電力供給線５００を通して誘導加熱コイル２２２へ流れる。そうすると、誘導加熱コイル２２２は、磁界を発生する。誘導加熱コイル２２２が磁界を発生すると、導電体２３１は、その磁界で誘起される渦電流により発熱する。そのため、本実施の形態に係る暖房便座装置１００は、誘導加熱の原理を利用し、便座２００の着座面を急速に加熱することができ、より早く着座面を適温にすることができる。また、本実施形態にかかる暖房便座装置１００は、便座２００の着座面を急速に加熱することができるため、使用者が便座２００を使用していないときには便座２００を保温しておく必要はない。そのため、例えば「シーズヒータ」や、「ハロゲンヒータ」や、「カーボンヒータ」などの抵抗加熱手段により便座２００の着座面を加熱する場合よりも省エネルギー化を図ることができる。
【００３７】
なお、図２に例示した暖房便座装置１００では、便座２００の筐体２１０の内部に誘導加熱コイル２２２が設けられているが、便蓋３００の筐体内に誘導加熱コイル２２２が設けられていてもよい。便蓋３００の筐体内に誘導加熱コイル２２２が設けられた暖房便座装置１００では、便蓋３００が閉じた状態において、誘導加熱コイル２２２により磁界を発生させる。これにより、便座２００に設けられた導電体２３１は、その磁界で誘起される渦電流により発熱する。また、導電体２３１についても、便座２００ではなく、便蓋３００に設けられていてもよい。なお、以下の説明では、便座２００に誘導加熱コイル２２２及び導電体２３１が設けられている構成を例とする。
【００３８】
また、図１には、便座２００及び便蓋３００が設けられた具体例を表したが、本発明はこれには限定されない。すなわち、便座２００のみがケーシング４００に軸支され、便蓋３００が設けられていないものも、本発明の範囲に含まれる。この場合には、誘導加熱コイル２２２と導電体２３１は、いずれも便座２００に設けることができる。
【００３９】
図３は、便座を開いた状態を例示する模式的斜視図である。
図４は、図３における矢印Ｂの部分を拡大した模式的斜視図である。
図３に表したように、便座２００は、後方側の左右に設けられたヒンジ部２５０を支点として、前方側が上方に開く。便座２００を開くと、ヒンジ部２５０の近傍において、ケーシング４００から便座２００に引き込まれた第１の電線５０１の一部がケーシング４００及び筐体２１０から外に露出する。
【００４０】
図４では、ヒンジ部２５０の近傍における第１の電線５０１の取り回し状態が例示されている。ここで、便座２００の筐体２１０内にはコイルスプリング２６０が設けられ、このコイルスプリング２６０に第１の電線５０１が挿入されている。コイルスプリング２６０の一端は、筐体２１０に固定され、他端は、挿入された第１の電線５０１の途中に固定されている。これにより、便座２００の脱着の際、第１の電線５０１の引き出し、引き戻しが確実に行われる。
【００４１】
すなわち、便座２００をケーシング４００から取り外し、引き離そうとすると、筐体２１０内に引き込まれていた第１の電線５０１の一部が筐体２１０から引き出される。第１の電線５０１が引き出されるため、便座２００とケーシング４００との隙間を十分に確保でき、便座２００やケーシング４００の掃除を容易に行うことができる。ここで、筐体２１０から第１の電線５０１を引き出した量に応じて、コイルスプリング２６０が縮むことになる。
【００４２】
一方、便座２００をケーシング４００の装着位置に戻すと、コイルスプリング２６０の伸張力によって第１の電線５０１が便座２００の筐体２１０内に自動的に引き込まれる。便座２００をケーシング４００に装着した状態では、第１の電線５０１は、コイルスプリング２６０の伸張力によって元の位置に確実に戻されることになる。
【００４３】
ここで、第１の電線５０１の他方の端部は、便座２００の筐体２１０内に固定された第１の中継台５１０に固定されている。コイルスプリング２６０を貫通した第１の電線５０１は、第１の中継台５１０までの間、筐体２１０の中で若干の弛みを持たせた状態で敷設されている。この弛みは、便座２００をケーシング４００から取り外した際、第１の電線５０１を筐体２１０から引き出すための余裕分となる。
【００４４】
図５は、第１及び第２の電線の筐体への引き込みを例示する模式図である。
図５では、便座２００の裏面側からみた一部透視の平面を例示している。第１の電線５０１は、ケーシング４００から便座２００の筐体２１０内に引き込まれている。筐体２１０内において、第１の電線５０１は先に説明したコイルスプリング２６０に挿入され、その先で湾曲するように取り回されている。
【００４５】
第１の電線５０１の他方の端部を固定する第１の中継台５１０は、便座２００において着座範囲外（図中ハッチングで示す領域）に設けられている。着座範囲には誘導加熱コイル２２２が設けられていることから、第１の中継台５１０を着座範囲外に設けることで、誘導加熱コイル２２２の巻線の邪魔にならずに済む。また、第１の中継台５１０が着座範囲外に設けられていれば、誘導加熱コイル２２２による導電体２３１の加熱の妨げにもならずに済むことになる。
【００４６】
なお、着座範囲外には、非加熱金属（例えば、フェライト焼結体）の電磁シールドを設けるようにしてもよい。これにより、筐体２１０の第１の電線５０１、第１の中継台５１０及び第２の電線５０２のうち導電体２３１によってシールドされない部分について磁界の漏れを抑制することが可能になる。
【００４７】
次に、第１の電線５０１の固定について説明する。
図６は、第１の電線の筐体側の中継台について例示する模式図である。
図６（ａ）に表した第１の中継台５１０は、丸型端子５１１ａ及び５１１ｂと螺子５１３とを用いて固定するものである。すなわち、第１の電線５０１の端部には丸型端子５１１ａが取り付けられている。一方、筐体側には端子台５１２が固定されている。また、第２の電線５０２の端部にも丸型端子５１１ｂが取り付けられている。この端子台５１２に丸型端子５１１ａ及び５１１ｂを螺子５１３によって固定することにより、第１の電線５０１及び第２の電線５０２のそれぞれの端部を端子台５１２に固定する。これにより、筐体２１０の開閉によって第１の電線５０１に捻れが生じても、その捻れは端子台５１２よりも先の第２の電線５０２には伝わらず、第２の電線５０２の固定状態を維持することができる。
【００４８】
図６（ｂ）に表した第１の中継台５１０は、Ｕ字状の固定具５１５を用いて固定するものである。すなわち、この第１の中継台５１０では、Ｕ字状の固定具５１５を第１の電線５０１の被覆の上に取り付け、この固定具５１５を螺子５１３によって筐体２１０に固定している。この固定具５１５によって第１の電線５０１を筐体２１０に固定すると、筐体２１０の開閉によって生じる第１の電線５０１は固定具５１５よりも先には伝わらない。したがって、筐体２１０の開閉を行っても、第２の電線５０２が捻れることはなく、固定状態を維持することができる。
【００４９】
図６（ｃ）に表した第１の中継台５１０は、クリップ式の固定具５１７を用いて固定するものである。すなわち、この第１の中継台５１０は、一端側に第１の電線５０１を挟み込むクリップ部分５１７ａが設けられ、他端側に筐体２１０への固定を行う螺子止め部分５１７ｂが設けられている。このクリップ部分５１７ａに第１の電線５０１を挟み込み、螺子止め部分５１７ｂによって固定具を筐体２１０に螺子５１３で固定する。これにより、筐体２１０の開閉によって生じる第１の電線５０１の捻れは固定具５１７よりも先には伝わらない。したがって、第２の電線５０２の捻れを防止することができる。
【００５０】
図７は、他の取り付け構造を有する便座を例示する模式的斜視図である。
図７（ａ）は、便座を開いた状態、図７（ｂ）は、便座を閉じた状態をそれぞれ例示している。
図７に表したように、この暖房便座装置１０１において、便座２００を支持するヒンジ部２５０には、ヒンジサポート２５１が設けられている。ヒンジサポート２５１は、ケーシング４００から立ち上がり、ヒンジ部２５０を支持している。電力供給線５００の第１の電線５０１は、ケーシング４００からヒンジサポート２５１を介して便座２００の筐体２１０に引き込まれている。ヒンジ部２５０には、中空形状の柱２５２が設けられている。第１の電線５０１は、ケーシング４００からこの中空形状の柱２５２内を介して便座２００の筐体２１０内に引き込まれている。中空形状の柱２５２内にはコイルスプリング２６０が設けられ、このコイルスプリング２６０内に第１の電線５０１が挿入されている。コイルスプリング２６０の一端は、中空形状の柱２５２に固定され、他端は第１の電線５０１の途中に固定されている。これにより、便座２００を取り外す場合において、第１の電線５０１をケーシング４００から引き出そうとすると、中空形状の柱２５２の中でコイルスプリング２６０が縮む状態になる。
【００５１】
一方、便座２００を取り付け位置に戻すと、第１の電線５０１が自由状態になるので、コイルスプリング２６０が伸張し、自動的に第１の電線５０１をケーシング４００内に引き込むことができるようになる。
【００５２】
このような取り付け構造において、第１の電線５０１の一端は、ケーシング４００内に固定されている。また、コイルスプリング２６０を貫通して便座２００の筐体２１０内に引き込まれた第１の電線５０１の他端は、筐体２１０に設けられた第１の中継台５１０に固定されている。また、第１の中継台５１０には、第２の電線５０２の一端が接続され、他端が誘導加熱コイル２２２に接続されている。
【００５３】
これにより、便座２００の開閉や着脱の際、第１の電線５０１に捩れが生じても、第１の中継台５１０から先の第２の電線５０２には、第１の電線５０１の捩れは伝達しない。したがって、第２の電線５０２を構成するリッツ線の絶縁被覆の剥がれを抑制することができる。
【００５４】
図８は、他の取り付け構造を有する便座を例示する模式的斜視図である。
図８に表したように、この暖房便座装置１０２においては、便座２００のヒンジ部２５０の中に第１の電線５０１が通されている。第１の電線５０１は、ケーシング４００に内蔵された高周波電源装置４２０から便座２００のヒンジ部２５０を介して筐体２１０内の誘導加熱コイル（図示せず）まで引き回されている。すなわち、第１の電線５０１は、ケーシング４００内において、高周波電源装置４２０からヒンジ部２５０まで延出し、ここで屈曲して便座２００の筐体２１０内へ引き込まれている。
【００５５】
このような取り付け構造において、第１の電線５０１の一端は、ケーシング４００内の高周波電源装置４２０に固定されている。また、第１の電線５０１の他端は、便座２００の筐体２１０内に設けられた第１の中継台５１０に固定されている。これにより、便座２００の開閉や着脱の際、第１の電線５０１に捩れが生じても、この捩れが第２の電線には伝達しないことになる。したがって、第２の電線５０２を構成するリッツ線絶縁被覆の剥がれを抑制することができる。
【００５６】
図９は、電力供給線が便器の外側に露出した暖房便座装置を例示する模式的斜視図である。
図１０は、図９に例示した暖房便座装置を上方から眺めた模式的平面図である。
図９及び図１０に表した暖房便座装置１０３では、便座２００とケーシング４００との間に接続された第１の電線５０１が、外側に露出している。この第１の電線５０１は、外側に露出した状態で垂れ下げられている。この垂れ下げは、便座２００をケーシング４００から着脱する際、第１の電線５０１に余裕を持たせるためである。
【００５７】
電力供給線５００の第１の電線５０１の一端は、ケーシング４００に内蔵された高周波電源装置４２０に固定されている。第１の電線５０１は、ケーシング４００の外側に延出し、露出した部分が垂れ下げられ、便座２００の筐体２１０内に引き込まれている。筐体２１０内に引き込まれた第１の電線５０１の他端は、筐体２１０内に設けられた第１の中継台５１０に固定されている。この第１の中継台５１０には、第２の電線５０２の一端が固定されている。そして、第２の電線５０２の他端は、誘導加熱コイル２２２に接続されている。
【００５８】
このような取り付け構造により、便座２００の開閉や着脱の際、第１の電線５０１に捩れや曲げ伸ばしなどの動きが生じても、この動きが第２の電線には伝達しない。したがって、第２の電線５０２を構成するリッツ線の絶縁被覆の剥がれを抑制することができるようになる。
【００５９】
図１１は、第１の電線の他の取り付け構造を例示する模式的平面図である。
図１１に表したように、この暖房便座装置１０４では、便座２００における開閉の中心となるヒンジ部２５０寄りに、第１の中継台５１０が配置されている。この第１の中継台５１０には、ケーシング４００内の高周波電源装置４２０から第１の中継台５１０の方向ａ１に沿って第１の電線５０１が接続されている。また、第１の中継台５１０には、便座２００の筐体２１０内から第１の中継台５１０の方向ａ２に沿って第２の電線５０２が接続されている。
【００６０】
この取り付け構造においては、第１の中継台５１０がヒンジ部２５０寄りに配置されているため、電力供給線５００のうち第１の電線５０１の長さを短くすることができる。すなわち、第１の電線５０１は普通線、第２の電線５０２はリッツ線である。このため、第１の電線５０１である普通線を短く、第２の電線５０２であるリッツ線を長くすることで、高周波電流の伝送ロスの低減を抑制できることになる。
【００６１】
また、第１の中継台５１０には、第１の電線５０１及び第２の電線５０２が互いに異なる方向ａ１及びａ２から接続されている。つまり、第１の中継台５１０によって電力供給線５００の方向を変換している。これにより、第１の電線５０１及び第２の電線５０２をそれぞれ直線的に接続しつつ、電力供給線５００の方向を変換できるようになる。
【００６２】
次に、本発明の他の実施の形態について説明する。
図１２は、他の実施の形態に係る暖房便座装置を説明する模式的平面図である。
図１２に表したように、この暖房便座装置１１０は、ケーシング４００内に第２の中継台５２０をさらに備える。また、電力供給線５００は、リッツ線による第３の電線５０３をさらに備える。
【００６３】
第２の中継台５２０は、ケーシング４００内に固定されている。一方、便座２００の筐体２１０内には第１の中継台５１０が固定されている。第３の電線５０３は、ケーシング４００内の高周波電源装置４２０と、第２の中継台５２０と、の間に接続されている。また、第２の中継台５２０と、第１の中継台５１０と、の間には、第１の電線５０１が接続されている。そして、第１の中継台５１０には、第２の電線５０２が接続されている。つまり、第１の電線５０１の両端は、第１の中継台５１０及び第２の中継台５２０にそれぞれ固定されている。
【００６４】
このような暖房便座装置１１０では、第１の電線５０１を第１の中継台５１０と、第２の中継台５２０と、の間のみに設ければよい。したがって、電力供給線５００のうち、第１の電線５０１の長さを短くでき、高周波電流の伝送ロスを抑制できるようになる。
【００６５】
また、便座２００の開閉や着脱の際、第１の電線５０１に捩れが生じても、第１の中継台５１０及び第２の中継台５２０から先の第２の電線５０２及び第３の電線５０３には、第１の電線５０１の捩れは伝達しない。したがって、第２の電線５０２及び第３の電線５０３を構成するリッツ線の絶縁被覆の剥がれを抑制することができる。
【００６６】
図１３は、他の実施の形態における他の構成を例示する模式的平面図である。
図１３に表した暖房便座装置１１１は、ケーシング４００内に第２の中継台５２０が設けられている点で図１２に表した暖房便座装置１１０と共通する。一方、暖房便座装置１１１では、第１の電線５０１が、ケーシング４００及び筐体２１０の外側に延出し、垂れ下げされている。
【００６７】
すなわち、第１の電線５０１の一端は、第２の中継台５２０に固定され、他端は第２の中継台５２０に固定される。そして、第１の電線５０１の途中は、ケーシング４００及び筐体２１０の外側に延出して設けられ、垂れ下げられた状態になっている。
【００６８】
このような暖房便座装置１１１では、第１の電線５０１を垂れ下げて設けた分、便座２００をケーシング４００から取り外した際、便座２００とケーシング４００との間を広くあけることができる。これにより、便座２００やケーシング４００等の清掃が容易となる。
【００６９】
また、暖房便座装置１１０と同様、便座２００の開閉や着脱の際、第１の電線５０１に捩れが生じても、第１の中継台５１０及び第２の中継台５２０から先の第２の電線５０２及び第３の電線５０３には、第１の電線５０１の捩れは伝達しない。したがって、第２の電線５０２及び第３の電線５０３を構成するリッツ線の絶縁被覆の剥がれを抑制することができる。
【００７０】
図１４は、図１３に表したような外側に露出した第１の電線の他の取り付け構造を例示する模式図である。
図１４に例示した固定手段は、差し込み式の固定手段５５０である。すなわち、この固定手段５５０では、第１の電線５０１の途中に、矩形状のブッシュ５５１が設けられている。一方、ケーシング４００または便座２００の筐体２１０側には、ブッシュ５５１が差し込まれる矩形状の凹部を備えた開口部５５２が取り付けられている。
【００７１】
開口部５５２の凹部は、ブッシュ５５１の外形に合わせた広さに設けられている。したがって、第１の電線５０１に取り付けられたブッシュ５５１を、ケーシング４００または筐体２１０側の開口部５５２の凹部５５２ａに差し込むことで、ブッシュ５５１が開口部５５２に嵌合される。
【００７２】
また、ブッシュ５５１には切り欠き部５５１ａが設けられ、開口部５５２には切り欠き部５５１ａに対応した突起部５５２ｂが設けられている。したがって、ブッシュ５５１を開口部５５２に嵌合させる際、ブッシュ５５１の切り欠き部５５１ａに、開口部５５２の突起部５５２ｂがはまり込み、ブッシュ５５１の電線方向に沿った抜けを防止する。このような固定手段５５０によって、第１の電線５０１をケーシング４００または筐体２１０側にしっかりと固定できることになる。
【００７３】
このような第１の電線５０１の固定により、便座２００の開閉や着脱の際に第１の電線５０１に捩れが生じても、この捩れが第２の電線５０２には伝達しないことになる。すなわち、便座２００の開閉や着脱には、第１の電線５０１の捩れが伴う。この第１の電線５０１に捩れが生じても、第１の中継台５１０よりも誘導加熱コイル２２２側の第２の電線５０２や、第２の中継台５２０よりも高周波電源装置４２０側の第３の電線５０３は固定されたままであり、第２の電線５０２及び第３の電線５０３に捩れが伝わらない。これにより、第２の電線５０２の筐体２１０に対する位置及び第３の電線５０３のケーシング４００に対する位置が変化せず、リッツ線の絶縁被覆の剥がれを抑制することができる。
【００７４】
図１５は、他の実施の形態におけるその他の構成を例示する模式的平面図である。
図１５に表した暖房便座装置１１２は、便座２００の筐体２１０内に第１の中継台５１０が設けられ、ケーシング４００内に第２の中継台５２０が設けられている点で、暖房便座装置１１０及び１１１と同様である。一方、暖房便座装置１１２では、第１の中継台５１０が、ヒンジ部２５０寄りに設けられている。
【００７５】
このような暖房便座装置１１２では、第１の中継台５１０がヒンジ部２５０寄りに配置されているため、電力供給線５００のうち第１の電線５０１の長さを短くすることができる。したがって、第１の電線５０１である普通線を短く、第２の電線５０２及び第３の電線５０３であるリッツ線を長くすることで、高周波電流の伝送ロスの低減を抑制できることになる。
【００７６】
また、第１の中継台５１０及び第２の中継台５２０によって、電力供給線５００を構成する第１の電線５０１、第２の電線５０２及び第３の電線５０３の接続方向を変換できる。したがって、第１の電線５０１、第２の電線５０２及び第３の電線５０３をそれぞれ直線的に接続しつつ、電力供給線５００の方向を変換できるようになる。
【００７７】
次に、本発明のさらに他の実施の形態について説明する。
図１６は、他の実施の形態に係る暖房便座装置を説明する模式的平面図である。
図１６（ａ）には、暖房便座装置１２０が例示され、図１６（ｂ）には、暖房便座装置１２１が例示されている。
暖房便座装置１２０及び１２１では、第１の電線５０１が保護部材６００でシールドされている。
【００７８】
図１６（ａ）に表した暖房便座装置１２０においては、ケーシング４００から便座２００の第１の中継台５１０まで接続された第１の電線５０１の周囲を被覆する保護部材６００が設けられている。この保護部材６００によって、第１の電線５０１で発生した磁界の外部への漏れを防止する。
【００７９】
保護部材６００の材料は、磁界を透過させにくいもの、すなわち、磁界を吸収または反射するものを用いることができる。具体的には、保護部材６００の材料としては、アルミニウム、ステンレスのほか、銅、金、銀、ニッケル、これらを含む合金などが挙げられる。
【００８０】
ここで、便座２００の筐体２１０内に設けられた第１の中継台５１０以降の第２の電線５０２には、導電体２３１が被せられている。導電体２３１は、誘導加熱コイル２２２で発生した渦電流によりって発熱する発熱体であるとともに、便座２００の外への磁界の漏れを抑制するシールドとしての役目も果たす。したがって、導電体２３１で覆われた部分には、必ずしも保護部材６００を設ける必要はない。
【００８１】
図１６（ｂ）に表した暖房便座装置１２１においては、ケーシング４００及び便座２００の外側に垂れ下げられた第１の電線５０１の周囲を被覆する保護部材６００が設けられている。保護部材６００は、一端がケーシング４００内の高周波電源装置４２０に接続され、他端が便座２００内の第１の電線５０１まで接続された第１の電線５０１の全体を覆う。
【００８２】
第１の電線５０１は、外部に垂れ下げられていることから、被覆する保護部材６００には可撓性を有する材料を用いることが望ましい。可撓性を有する保護部材６００としては、例えば、弾性体に導電性材料を含有させたものや、導電体で形成されたコイルスプリング状のものや、導電体で形成されたメッシュ状のものが挙げられる。これにより、外部に垂れ下げられる第１の電線５０１であっても、動きを制限することなく、磁界の漏れを抑制できるようになる。
【００８３】
また、図１６（ａ）及び（ｂ）に例示したいずれの例でも、ケーシング４００から便座２００に第１の電線５０１を引き回す場合、特に、ヒンジ部２５０の隙間（ケーシング４００と便座２００との隙間）において磁界の漏れが発生しやすい。本具体例によれば、ヒンジ部２５０の隙間にも保護部材６００が設けられるため、ここからの磁界の漏れを確実に抑制できるようになる。
【００８４】
以上説明したように、本実施の形態によれば、高周波電源装置４２０から誘導加熱コイル２２２へ高周波電流を送る電力供給線５００について、外部へ漏れる磁界を抑制することができる。特に、ケーシング４００に高周波電源装置４２０が内蔵されている場合、電力供給線５００の敷設経路で磁界の漏れが発生しやすい。本実施の形態では、保護部材６００によって、シールドしにくいヒンジ部２５０の隙間などでも確実に磁界の漏れを抑制することができる。これにより、ケーシング４００内の制御部４１０に過度の磁界が入射することを抑えることができ、その制御部４１０を安定化させることができる。また、人体への磁界の入射量をより小さく抑えることができる。
【００８５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、電力供給線５００に設けられる保護部材６００の態様として、いずれか１つに限られず、一つの電力供給線５００に保護部材６００の複数の態様を適宜組み合わせるようにしてもよい。
また、前述した各実施の形態が備える各要素は、技術的に可能な限りにおいて組み合わせることができ、これらを組み合わせたものも本発明の特徴を含む限り本発明の範囲に包含される。
【符号の説明】
【００８６】
１０…トイレ装置、１００，１０１，１０２，１０３，１０４，１１０，１１１，１２０，１２１…暖房便座装置、２００…便座、２１０…筐体、２２２…誘導加熱コイル、２３１…導電体、２５０…ヒンジ部、２６０…コイルスプリング、３００…便蓋、４００…ケーシング、４１０…制御部、４１５…給電線、４２０…高周波電源装置、５００…電力供給線、５０１…第１の電線、５０２…第２の電線、５０３…第３の電線、５１０…第１の中継台、５２０…第２の中継台、６００…保護部材、８００…洋式腰掛便器
【図１】
2012205818.tif 000003
【図２】
2012205818.tif 000004
【図３】
2012205818.tif 000005
【図４】
2012205818.tif 000006
【図５】
2012205818.tif 000007
【図６】
2012205818.tif 000008
【図７】
2012205818.tif 000009
【図８】
2012205818.tif 000010
【図９】
2012205818.tif 000011
【図１０】
2012205818.tif 000012
【図１１】
2012205818.tif 000013
【図１２】
2012205818.tif 000014
【図１３】
2012205818.tif 000015
【図１４】
2012205818.tif 000016
【図１５】
2012205818.tif 000017
【図１６】
2012205818.tif 000018